(57)【要約】【課題】好適に電池を保持しつつ装置全体の小型化を図る。【解決手段】電池保持装置は、電池２６を保持する端子板２７と、端子板２７を収容するメインプレート２１とを備える。端子板２７は、メインプレート２１に固定される固定部２７１ｂと、電池２６を保持する端子板本体２７０とを有しており、端子板本体２７０がメインプレート２１と接触しない位置に配置されている。【選択図】図５
2020098711.tif 000002
【特許請求の範囲】
【請求項１】
電池を保持する電池保持部材と、
前記電池保持部材を収容するケース部材と、
を備える電池保持装置であって、
前記電池保持部材は、
前記ケース部材に固定される固定部と、前記電池を保持する電池保持部とを有し、
前記電池保持部は前記ケース部材と接触しない位置に配置される、
ことを特徴とする電池保持装置。
【請求項２】
前記電池保持部材は金属製の端子板である、
ことを特徴とする請求項１に記載の電池保持装置。
【請求項３】
前記ケース部材は、前記電池を収容する電池収容部を有し、
前記電池保持部は、前記電池収容部内の底部に配置されるとともに、前記電池収容部の底板との間に空間を有する、
ことを特徴とする請求項１又は請求項２に記載の電池保持装置。
【請求項４】
前記ケース部材は、前記電池を収容する電池収容部を有し、
前記電池保持部は、前記電池収容部内の底部に配置され、
前記固定部は、前記電池保持部に対して起立しつつ当該電池保持部の周縁部に設けられた起立部を介して当該電池保持部と連結されるとともに、前記電池収容部の周囲に位置する前記ケース部材の上面に固定され、
前記起立部は、前記電池収容部の内周壁に対して凹んだ凹部内に、前記ケース部材と接触しないように配置されている、
ことを特徴とする請求項１から請求項３のいずれか一項に記載の電池保持装置。
【請求項５】
請求項１から請求項４のいずれか一項に記載の電池保持装置と、
前記電池保持装置を収容する時計ケースと、を備える、
ことを特徴とする時計。
【発明の詳細な説明】
【技術分野】
【０００１】
本発明は、電池保持装置及び時計に関する。
【背景技術】
【０００２】
従来、時計などの装置においては、電力を供給するための電池がケース部材の内部に収容されている（例えば、特許文献１参照）。
【０００３】
例えば腕時計では、図６（ａ）、（ｂ）に示すように、樹脂製のケース部材５０に凹状の電池収容部５０ａが設けられており、その内部に電池６０が収容されている。電池６０は緩衝材５１を介してケース部材５０の底板５０ｂに支持されている。また、ケース部材５０の底板５０ｂと電池６０との間には金属製の端子板５２が設けられている。端子板５２は回路基板５３とともにビス５４でケース部材５０に固定されている。
【先行技術文献】
【特許文献】
【０００４】
【特許文献１】特開２０１７−１８１１７６号公報
【発明の概要】
【発明が解決しようとする課題】
【０００５】
しかしながら、上記従来の構造では、樹脂製のケース部材５０（底板５０ｂ）で電池６０を支持しているため、強度の観点から電池６０を介して底板５０ｂに加わる衝撃に備えて底板５０ｂを一定程度の厚さに形成する必要があった。これにより、ケース部材５０の薄型化、ひいては装置全体の小型化が阻害されていた。
【０００６】
本発明は、以上のような事情に鑑みてなされたものであり、好適に電池を保持しつつ装置全体の小型化を図ることを目的とするものである。
【課題を解決するための手段】
【０００７】
上記目的を達成するために、本発明に係る電池保持装置は、
電池を保持する電池保持部材と、
前記電池保持部材を収容するケース部材と、
を備える電池保持装置であって、
前記電池保持部材は、
前記ケース部材に固定される固定部と、前記電池を保持する電池保持部とを有し、
前記電池保持部は前記ケース部材と接触しない位置に配置される、
ことを特徴としている。
【発明の効果】
【０００８】
本発明によれば、好適に電池を保持しつつ装置全体の小型化を図ることができる。
【図面の簡単な説明】
【０００９】
【図１】実施形態における時計の正面図である。
【図２】実施形態における時計モジュールを裏面側からみた平面図である。
【図３】（ａ）実施形態におけるメインプレート及び端子板を裏面側からみた平面図であり、（ｂ）メインプレート及び端子板を裏面側の斜め側方からみた斜視図である。
【図４】図３（ａ）のうち電池収容部周辺を拡大した図である。
【図５】（ａ）図４のＶ−Ｖ線におけるメインプレート及び端子板の断面図であり、（ｂ）（ａ）を拡大した図である。
【図６】従来の時計における電池保持構造を説明するための図である。
【発明を実施するための形態】
【００１０】
以下、図１から図５を参照しつつ、本発明に係る電池保持装置及び時計の一実施形態について説明する。
なお、以下に述べる実施形態では、電池保持装置が時計に設けられるものである場合を例として説明する。また、以下の実施形態には、本発明を実施するために技術的に好ましい種々の限定が付されているが、本発明の範囲を以下の実施形態及び図示例に限定するものではない。
【００１１】
図１は、本実施形態における時計の正面図である。
この図に示すように、本実施形態において、時計１００は、本体ケース１と、本体ケース１内に配置される時計モジュール２（図２参照）と、を備えている。
【００１２】
本実施形態において、本体ケース１は、特に限定はされないが、表面側（視認側）のみが開口し裏面側が閉塞された裏蓋一体型（いわゆるワンピース構造）のケースである。
本体ケース１は、例えばトロガミド（登録商標）等のナイロン系樹脂、ＡＢＳ樹脂、ポリアリレート（ＰＡＲ）等のスーパーエンジニアリング・プラスチックやポリアセタール（ＰＯＭ）、ポリカーボネート（ＰＣ）等のエンジニアリング・プラスチック等の合成樹脂、セラミック、ガラス、又は、チタニウムやステンレス鋼（ＳＵＳ）、アルミニウム等の金属等により形成されている。なお、本体ケース１を形成する材料はここに例示したものに限定されない。
【００１３】
本体ケース１の表面側（視認側）の開口には、開口部分を覆うようにクリアガラス等の透明材料で形成された風防部材１１が設けられている。風防部材１１は、図示しない防水リング等を介して本体ケース１に取り付けられており、気密性が確保された状態で本体ケース１の上側の開口を閉塞するようになっている。
また、本体ケース１の表面側には、風防部材１１を取り囲むように、ベゼル等の外装部材１２が設けられている。なお、外装部材１２の形状等は図示例に限定されない。また、外装部材１２を備えることは必須ではなく、外装部材１２を設けない構成としてもよい。
さらに、本体ケース１の外側面であって時計における１２時方向側及び６時方向側（すなわち図１において上下両端部）には、時計バンド（図示せず）が取り付けられるバンド取付部１３が設けられている。
【００１４】
図２は、時計モジュールを裏面側からみた平面図である。
この図に示すように、時計モジュール２は、メインプレート２１の表裏（上下）に、回路基板２２や、図示しない文字板等が一体的に組付けられたものである。
メインプレート２１は、例えばエンジニアリング・プラスチックやスーパーエンジニアリング・プラスチック等の比較的硬質な合成樹脂で形成されたほぼ円盤状の部材である。メインプレート２１は、本発明に係るケース部材の一例に相当する。
【００１５】
時計モジュール２において、メインプレート２１の裏面側には、回路基板２２と回路押え部材２４とが、表面側からこの順に配置されている。
回路基板２２には、各種回路や導電パターン（いずれも図示せず）が設けられている。回路基板２２は、ビス３１等によってメインプレート２１に直接固定されるとともに、裏面側から回路押え部材２４によっても保持されている。
回路押え部材２４は、例えば金属（例えばステンレス材）の板に打ち抜き加工や曲げ加工等を施すことで形成され、ほぼ平板状に形成されている。この回路押え部材２４は、ビスによって回路基板２２と共締めでメインプレート２１に固定されている。また、後述するように、回路押え部材２４の一部は、電池２６を押さえる電池押え部２４１となっている。
【００１６】
メインプレート２１の裏面と回路基板２２との間には、アンテナ装置２５や、図示しないモータ等の駆動機構、その他各種の電子部品が配置されている。
【００１７】
また、メインプレート２１の裏面側には、モータ等の電子部品に電力を供給する電池２６が配置されている。本実施形態における電池２６は、短円筒状のボタン型電池である。
図３（ａ）は、メインプレートと後述の端子板を裏面側からみた平面図であり、図３（ｂ）は、メインプレートと端子板を裏面側の斜め側方からみた斜視図である。図４は、図３（ａ）のうち後述の電池収容部周辺を拡大した図である。
具体的には、図３（ａ）、（ｂ）及び図４に示すように、メインプレート２１の外周部に、電池２６の外形形状に対応した空間の電池収容部２１ａが設けられており、この電池収容部２１ａ内に電池２６が収容されている。電池収容部２１ａは、裏面側が開口している一方、表面側では一部が閉塞されて部分的に開口している。具体的に、電池収容部２１ａの表面側の端部は、メインプレート２１内周側の一部が内側底板部２１３ａによって閉塞され、外周側の一部側が外側底板部２１３ｂによって閉塞されている。
【００１８】
メインプレート２１の電池収容部２１ａには、電池２６と電気的に接触する端子であると同時に、電池２６を保持する電池保持部材でもある端子板２７が収容されている。この端子板２７とメインプレート２１とで、本発明に係る電池保持装置が構成されている。
【００１９】
端子板２７は、例えば金属（例えばステンレス材）の板に打ち抜き加工や曲げ加工等を施すことで形成されている。この端子板２７は、穴開き円板状の端子板本体２７０と、端子板本体２７０の外周部の周上において均等な間隔で配置された３つの脚部２７１（２７１ｘ〜２７１ｚ）とを備えている。
端子板本体２７０は、平面視で電池収容部２１ａよりも一回り小さい外径の穴開き円板状に形成されている。この端子板本体２７０は、電池収容部２１ａ内の底部（表面側の端部）に配置され、電池収容部２１ａ内に収容された電池２６を下側（表面側）から保持する。また、端子板本体２７０は、電池２６の底面と直接接触する端子部（接点）となっている。
【００２０】
図５（ａ）は、図４のＶ−Ｖ線におけるメインプレート及び端子板の断面図であり、図５（ｂ）は、図５（ａ）を拡大した図である。なお、図５（ａ），（ｂ）では、回路基板や固定用のビスを配置した状態を図示している。
図４及び図５（ａ）、（ｂ）に示すように、３つの脚部２７１の各々は、端子板本体２７０に対してＺ曲げ形状に屈曲されて形成されており、端子板本体２７０の外周部から裏面側へ起立した起立部２７１ａと、起立部２７１ａの先端（裏面側端）から端子板本体２７０の外周側へ張り出した固定部２７１ｂとを有している。
【００２１】
脚部２７１の固定部２７１ｂは、メインプレート２１に対して固定される部分であり、固定用のビス３１が挿通される貫通穴２７１ｃが形成されている。
３つの脚部２７１のうち、メインプレート２１の周方向に配置される２つの脚部２７１ｙ、２７１ｚの各固定部２７１ｂには、メインプレート２１に対して端子板２７を位置決めするための位置決め穴２７１ｄが形成されている。より詳しくは、２つの脚部２７１ｙ、２７１ｚの各固定部２７１ｂは、端子板本体２７０の周方向へ拡大する部分を有しており、この拡大部分に位置決め穴２７１ｄが形成されている。
【００２２】
メインプレート２１には、端子板２７の固定部２７１ｂを当該メインプレート２１に保持・固定するための位置決めピン２１１とねじ穴２１２ａが設けられている。
位置決めピン２１１は、メインプレート２１の裏面側の面のうち、端子板２７の２つの脚部２７１ｙ、２７１ｚの位置決め穴２７１ｄと対応する２箇所の位置に設けられている。２つの位置決め穴２７１ｄを２つの位置決めピン２１１を挿通させるように端子板２７をメインプレート２１に配置することにより、メインプレート２１に対して端子板２７が位置決めされる。
【００２３】
ねじ穴２１２ａは、メインプレート２１の裏面側の面のうち、端子板２７の３つの脚部２７１の貫通穴２７１ｃと対応する３箇所の位置に設けられている。より詳細には、メインプレート２１の当該３箇所の各位置には、貫通穴２７１ｃより一回り大きい貫通穴２１ｄが形成されており、この貫通穴２１ｄ内に、ねじ穴２１２ａを有するインサート２１２が表面側から圧入されている。そして、端子板２７の裏面側に配した回路基板２２の貫通穴２２ａと端子板２７の貫通穴２７１ｃとにビス３１を裏面側から挿通させ、メインプレート２１のねじ穴２１２ａに螺合させることにより、端子板２７が回路基板２２と共締めでメインプレート２１に固定される。回路基板２２は、電池収容部２１ａに対応する部分が開口しており、メインプレート２１に固定された状態で、電池２６（電池収容部２１ａ）を裏面側に露出させている。回路基板２２の上側（裏面側）に配置される回路押え部材２４は、電池２６の上側を跨ぐように延在する電池押え部２４１を有しており、この電池押え部２４１の端部が脚部２７１ｙに回路基板２２を含めてビス３１で共締めされることにより、電池２６が上側から抑えられるようになっている（図２参照）。
ここで、金属製のビス３１を用いた場合、回路基板２２の裏面側の極と接触しているビス３１が端子板２７にも接触すると、回路基板２２と端子板２７とが短絡してしまう。そこで、本実施形態では、端子板２７が位置決めされた状態で、固定部２７１ｂの貫通穴２７１ｃがメインプレート２１のねじ穴２１２ａに対して精度良く芯出しされるようにするとともに、固定部２７１ｂの貫通穴２７１ｃが、メインプレート２１のねじ穴２１２ａに対して一回り大きく形成されている。これにより、ビス３１が端子板２７（固定部２７１ｂ）に接触しないようになっている。
【００２４】
３つの脚部２７１のうちの１つの脚部２７１ｚ（図４の右側のもの）の起立部２７１ａには、電池２６を押圧して固定するための板ばね状の押圧部２７２が設けられている。押圧部２７２は、起立部２７１ａの側端からメインプレート２１の周方向へ延在し、先端が端子板本体２７０の内周側へ屈曲した形状に形成されている。この押圧部２７２は、自身の弾性力で電池２６の側面を押圧することで、当該押圧部２７２とは反対側の電池収容部２１ａの内周壁２１ｂに電池２６を押し当てて固定する。
【００２５】
３つの脚部２７１の起立部２７１ａは、端子板２７がメインプレート２１に固定された状態において、電池収容部２１ａの内周壁２１ｂに対して凹んだ凹部２１ｃ内に配置されている。より詳細には、起立部２７１ａは、凹部２１ｃ内において、メインプレート２１にも電池２６にも接触しないように配置されている。
【００２６】
端子板本体２７０は、端子板２７がメインプレート２１に固定された状態において、上述のとおり、電池収容部２１ａ内の表面側の端部に配置され、電池２６を保持する。
このとき、端子板本体２７０は、電池収容部２１ａの表面側に位置する内側底板部２１３ａ及び外側底板部２１３ｂ（図５（ｂ）では内側底板部２１３ａのみ図示）との間に空間（隙間）Ｇを空けており、メインプレート２１とは接触していない。そのため、電池２６に上側（裏面側）から衝撃が加わった場合でも、この衝撃がメインプレート２１に直接伝わることを防ぐことができる。なお、空間Ｇの大きさは特に限定されず、メインプレート２１の厚さや想定される衝撃の大きさ等に応じて適宜設定することができる。また、空間Ｇ（すなわち内側底板部２１３ａや外側底板部２１３ｂの上面）に緩衝材を設けてもよい。
【００２７】
以上のように、本実施形態によれば、端子板２７が、メインプレート２１に固定される固定部２７１ｂと、電池２６を保持する端子板本体２７０とを有しており、このうちの端子板本体２７０がメインプレート２１と接触しない位置に配置されている。
そのため、電池２６に上側（裏面側）から衝撃が加わった場合でも、この衝撃がメインプレート２１に直接伝わることがない。これにより、電池２６の下側（表面側）に設けるメインプレート２１部分（内側底板部２１３ａ、外側底板部２１３ｂ）を、従来よりも薄くしたり無くしたりすることができる。
したがって、好適に電池２６を保持しつつ装置全体の小型化を図ることができる。
【００２８】
また、端子板２７で電池２６を保持するので、電池を保持（支持）する部材と端子板とを個別に設けていた従来に比べ、部品点数を減らしてより一層の小型化を図ることができる。
さらに、樹脂製よりも高強度の金属製の端子板２７で電池２６を保持するので、樹脂製の保持部材を用いていた従来よりも薄型化を図ることができ、ひいてはより一層の小型化を図ることができる。
【００２９】
また、メインプレート２１に固定される固定部２７１ｂと端子板本体２７０とを連結する起立部２７１ａが、電池収容部２１ａの内周壁２１ｂに対して凹んだ凹部２１ｃ内に、メインプレート２１と接触しないように配置されている。
つまり、端子板２７は、固定部２７１ｂのみがメインプレート２１と接触しており、その他の部分（端子板本体２７０及び起立部２７１ａ）はメインプレート２１には接触していない。これにより、電池２６に上側（裏面側）から加わった衝撃を、より確実にメインプレート２１に伝わらないようにすることができる。
【００３０】
なお、本発明を適用可能な実施形態は、上述した実施形態に限定されることなく、本発明の趣旨を逸脱しない範囲で適宜変更可能である。
例えば、上記実施形態では、メインプレート２１の電池収容部２１ａの底部が内側底板部２１３ａや外側底板部２１３ｂによって部分的に閉塞されていることとしたが、この電池収容部２１ａは底部全面が開口していてもよいし、底部全面が閉塞されていてもよい。
【００３１】
また、上記実施形態では、端子板２７の脚部２７１を３つとしたが、当該脚部２７１は２つでもよいし、４つ以上でもよい。また、脚部２７１を１つにした場合でも、位置決め穴２７１ｄを長穴にし、穴の数が減る分の位置決め精度を補うことで、本発明は実現可能である。
【００３２】
また、上記実施形態では、端子板２７を電池保持部材として用いたが、電池の保持専用の電池保持部材を端子板とは別に設けることとしてもよい。この場合の電池保持部材には、少なくとも上記実施形態における固定部２７１ｂ及び端子板本体２７０と同様の構成を備える必要がある。
【００３３】
また、上記実施形態では、電池収容部２１ａや端子板２７（端子板本体２７０）が円形であることとしたが、この形状は電池の形状に応じたものであれば矩形形状などでもよく、円形に限定されない。
【００３４】
また、上記実施形態では電池２６がボタン型電池であることとしたが、本発明に係る電池はボタン型電池に限定されない。さらに言えば、本発明に係る電池は一次電池に限定されず、二次電池であってもよい。
【００３５】
また、上記実施形態では、本発明に係る電池保持装置を時計に設けた場合を例に挙げて説明したが、本発明に係る電池保持装置は、電池を保持する各種の装置・構造に広く適用可能である。
【００３６】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
電池を保持する電池保持部材と、
前記電池保持部材を収容するケース部材と、
を備える電池保持装置であって、
前記電池保持部材は、
前記ケース部材に固定される固定部と、前記電池を保持する電池保持部とを有し、
前記電池保持部は前記ケース部材と接触しない位置に配置される、
ことを特徴とする電池保持装置。
＜請求項２＞
前記電池保持部材は金属製の端子板である、
ことを特徴とする請求項１に記載の電池保持装置。
＜請求項３＞
前記ケース部材は、前記電池を収容する電池収容部を有し、
前記電池保持部は、前記電池収容部内の底部に配置されるとともに、前記電池収容部の底板との間に空間を有する、
ことを特徴とする請求項１又は請求項２に記載の電池保持装置。
＜請求項４＞
前記ケース部材は、前記電池を収容する電池収容部を有し、
前記電池保持部は、前記電池収容部内の底部に配置され、
前記固定部は、前記電池保持部に対して起立しつつ当該電池保持部の周縁部に設けられた起立部を介して当該電池保持部と連結されるとともに、前記電池収容部の周囲に位置する前記ケース部材の上面に固定され、
前記起立部は、前記電池収容部の内周壁に対して凹んだ凹部内に、前記ケース部材と接触しないように配置されている、
ことを特徴とする請求項１から請求項３のいずれか一項に記載の電池保持装置。
＜請求項５＞
請求項１から請求項４のいずれか一項に記載の電池保持装置と、
前記電池保持装置を収容する時計ケースと、を備える、
ことを特徴とする時計。
【符号の説明】
【００３７】
２１      メインプレート
２１ａ    電池収容部
２１ｂ    内周壁
２１ｃ    凹部
２２      回路基板
２４      回路押え部材
２６      電池
２７      端子板
１００    時計
２１３ａ  内側底板部
２１３ｂ  外側底板部
２４１    電池押え部
２７０    端子板本体
２７１    脚部
２７１ａ  起立部
２７１ｂ  固定部
２７２    押圧部
Ｇ        空間
【図１】
2020098711.tif 000003
【図２】
2020098711.tif 000004
【図３】
2020098711.tif 000005
【図４】
2020098711.tif 000006
【図５】
2020098711.tif 000007
【図６】
2020098711.tif 000008